(57)【要約】【課題】通信操作とゲーム操作の選択を自動的に行う折り畳み式携帯電話機。【解決手段】折り畳み可能な第一の筐体１と第二の筐体２の間にヒンジ部４により連結されたカバー３を備え、キー対応機能と表示部１２における画像の表示方向とを通信操作用とゲーム操作用にそれぞれ分けて予め設定，登録する手段と、カバー３が第一の筐体１側にあるか第二の筐体２側にあるかを検出する手段と、カバー３が第一の筐体１側にあるときは、キー入力に対しては通信操作用キー対応機能を選択，実行し、表示部１２における画像の表示方向は通信操作用の表示方向とし、カバー３が第二の筐体２側にあるときは、キー入力に対してはゲーム操作用キー対応機能を選択，実行し、表示部１２における画像の表示方向は前記通信操作用の表示方向を９０度回転させたゲーム操作用表示方向とする手段とを有する折り畳み式携帯電話機。【選択図】      図７
2004215020.tif 000002
【特許請求の範囲】
【請求項１】
カバーの開閉状況に応じて選択する操作状態が相違するカバーを上部筐体，下部筐体の間に有することを特徴とする折り畳み式携帯電話機。
【請求項２】
前記操作状態は、通信操作状態またはゲーム操作状態であることを特徴とする請求項１記載の折り畳み式携帯電話機。
【請求項３】
カバーの開閉状況に応じて選択する入力キー対応機能および表示部における画像の表示方向が相違するカバーを上部筐体，下部筐体の間に有することを特徴とする折り畳み式携帯電話機。
【請求項４】
折り畳み可能な第一の筐体と第二の筐体の間にヒンジ部により連結されたカバーを備え、前記カバーが前記第一の筐体側にあるか前記第二の筐体側にあるかを検出する手段と、前記カバーが前記第一の筐体側にあるときは通信操作状態を選択し、前記カバーが前記第二の筐体側にあるときはゲーム操作状態を選択する手段とを有することを特徴とする折り畳み式携帯電話機。
【請求項５】
折り畳み可能な第一の筐体と第二の筐体の間にヒンジ部により連結されたカバーを備え、キー対応機能と表示部における画像の表示方向とを通信操作用とゲーム操作用にそれぞれ分けて予め設定，登録する手段と、前記カバーが前記第一の筐体側にあるか前記第二の筐体側にあるかを検出する手段と、前記カバーが前記第一の筐体側にあるときは、キー入力に対しては通信操作用キー対応機能を選択，実行し、表示部における画像の表示方向は通信操作用の表示方向とし、前記カバーが前記第二の筐体側にあるときは、キー入力に対してはゲーム操作用キー対応機能を選択，実行し、表示部における画像の表示方向は前記通信操作用の表示方向を９０度回転させたゲーム操作用表示方向とする手段とを有することを特徴とする折り畳み式携帯電話機。
【請求項６】
表示部とレシーバとレシーバ用音孔とを備えた第一の筐体と、入力キー群とモードスイッチとマイクとマイク用音孔とを備えた第二の筐体と、前記第一の筐体と前記第二の筐体の間に挟まれた形でヒンジ部により連結されたカバーとを備えた折り畳み式携帯電話機であって、
前記カバーは、前記表示部に対応する部分を開口した開口部と、前記第二の筐体側にあるときに前記モードスイッチを押下する位置に備えた突起と、前記レシーバ用音孔および前記マイク用音孔に対応する部分に備えた穴とを有し、
キー対応機能と前記表示部における画像の表示方向とを通信操作用とゲーム操作用にそれぞれ分けて予め設定，登録する手段と、前記モードスイッチが前記カバーに備えられた突起により押されているかを検出する手段と、押されていなかった場合は、通信操作用キー対応機能および表示方向を選択，実行し、押されていた場合は、ゲーム操作用キー対応機能および表示方向を選択，実行する手段とを有することを特徴とする折り畳み式携帯電話機。
【請求項７】
前記カバーはゲーム専用キーをさらに有し、前記カバーが前記第二の筐体側にあるときに、前記ゲーム専用キーの直下に位置する前記入力キー群の特定のキーを介して前記ゲーム専用キーの押下を識別するよう構成されていることを特徴とする請求項６記載の折り畳み式携帯電話機。
【請求項８】
前記ゲーム専用キーは前記カバー上に複数個設けられることを特徴とする請求項７記載の折り畳み式携帯電話機。
【請求項９】
前記第一の筐体は、前記カバーが前記第一の筐体側にあるときに前記カバーにより隠れる部分にゲーム専用キーをさらに有することを特徴とする請求項６，７または８記載の折り畳み式携帯電話機。
【請求項１０】
前記カバーに備えられた穴は一個であり、前記レシーバ用音孔および前記マイク用音孔の両方に兼用で対応することを特徴とする請求項６，７，８または９記載の折り畳み式携帯電話機。
【発明の詳細な説明】
【０００１】
【発明の属する技術分野】
本発明は、折り畳み式携帯電話機に関し、特に通信操作とゲーム操作の選択が可能な折り畳み式携帯電話機に関する。
【０００２】
【従来の技術】
携帯通信端末としての通信操作とゲーム操作の選択が可能な折り畳み式携帯電話機の従来例としては、例えば特開２００１−１３６２５０号公報に記載された折畳式携帯電話装置がある。
【０００３】
この公報においては、表示装置を二個設け、この内第１の表示装置は本体筐体を閉じた状態で本体筐体の外面に設け、第２の表示装置は本体筐体を開いた状態で本体筐体の内面に設けている。そして、ゲーム用には第１の表示装置を用い、通信用には第２の表示装置を用いているが、ゲーム中の着信呼に対しては第１の表示装置も使用可能に制御している。
【０００４】
【特許文献１】
特開２００１−１３６２５０号公報（段落［０００４］、［０００５］、図１、図２）
【０００５】
【発明が解決しようとする課題】
しかし、上述した特許文献１においては、表示装置を二個備えなければならないため、ハードウェアの増大や、それに伴うコストアップの問題がある。
【０００６】
また、ゲームは携帯電話機を折り畳んだ状態で、本体筐体外面の表示装置およびその周辺に設けられたゲーム用キーにより行うため、限られたスペースによる操作時の不自由さがあり、人間工学に基づいて作成されたゲーム専用機のコントローラからはほど遠い操作性と言わざるを得ない。
【０００７】
本発明は、上述した問題を解決する折り畳み式携帯電話機を提供することを目的とする。
【０００８】
【課題を解決するための手段】
本発明の第１の折り畳み式携帯電話機は、カバーの開閉状況に応じて選択する操作状態が相違するカバーを上部筐体，下部筐体の間に有する。
【０００９】
本発明の第２の折り畳み式携帯電話機は、本発明の第１の折り畳み式携帯電話機において、前記操作状態は、通信操作状態またはゲーム操作状態であることを特徴とする。
【００１０】
本発明の第３の折り畳み式携帯電話機は、カバーの開閉状況に応じて選択する入力キー対応機能および表示部における画像の表示方向が相違するカバーを上部筐体，下部筐体の間に有する。
【００１１】
本発明の第４の折り畳み式携帯電話機は、折り畳み可能な第一の筐体と第二の筐体の間にヒンジ部により連結されたカバーを備え、前記カバーが前記第一の筐体側にあるか前記第二の筐体側にあるかを検出する手段と、前記カバーが前記第一の筐体側にあるときは通信操作状態を選択し、前記カバーが前記第二の筐体側にあるときはゲーム操作状態を選択する手段とを有する。
【００１２】
本発明の第５の折り畳み式携帯電話機は、折り畳み可能な第一の筐体と第二の筐体の間にヒンジ部により連結されたカバーを備え、キー対応機能と表示部における画像の表示方向とを通信操作用とゲーム操作用にそれぞれ分けて予め設定，登録する手段と、前記カバーが前記第一の筐体側にあるか前記第二の筐体側にあるかを検出する手段と、前記カバーが前記第一の筐体側にあるときは、キー入力に対しては通信操作用キー対応機能を選択，実行し、表示部における画像の表示方向は通信操作用の表示方向とし、前記カバーが前記第二の筐体側にあるときは、キー入力に対してはゲーム操作用キー対応機能を選択，実行し、表示部における画像の表示方向は前記通信操作用の表示方向を９０度回転させたゲーム操作用表示方向とする手段とを有する。
【００１３】
本発明の第６の折り畳み式携帯電話機は、表示部とレシーバとレシーバ用音孔とを備えた第一の筐体と、入力キー群とモードスイッチとマイクとマイク用音孔とを備えた第二の筐体と、前記第一の筐体と前記第二の筐体の間に挟まれた形でヒンジ部により連結されたカバーとを備えた折り畳み式携帯電話機であって、
前記カバーは、前記表示部に対応する部分を開口した開口部と、前記第二の筐体側にあるときに前記モードスイッチを押下する位置に備えた突起と、前記レシーバ用音孔および前記マイク用音孔に対応する部分に備えた穴とを有し、
キー対応機能と前記表示部における画像の表示方向とを通信操作用とゲーム操作用にそれぞれ分けて予め設定，登録する手段と、前記モードスイッチが前記カバーに備えられた突起により押されているかを検出する手段と、押されていなかった場合は、通信操作用キー対応機能および表示方向を選択，実行し、押されていた場合は、ゲーム操作用キー対応機能および表示方向を選択，実行する手段とを有する。
【００１４】
本発明の第７の折り畳み式携帯電話機は、本発明の第６の折り畳み式携帯電話機において、前記カバーはゲーム専用キーをさらに有し、前記カバーが前記第二の筐体側にあるときに、前記ゲーム専用キーの直下に位置する前記入力キー群の特定のキーを介して前記ゲーム専用キーの押下を識別するよう構成されていることを特徴とする。
【００１５】
本発明の第８の折り畳み式携帯電話機は、本発明の第７の折り畳み式携帯電話機において、前記ゲーム専用キーは前記カバー上に複数個設けられることを特徴とする。
【００１６】
本発明の第９の折り畳み式携帯電話機は、本発明の第６，第７または第８の折り畳み式携帯電話機において、前記第一の筐体は、前記カバーが前記第一の筐体側にあるときに前記カバーにより隠れる部分にゲーム専用キーをさらに有する。
【００１７】
本発明の第１０の折り畳み式携帯電話機は、本発明の第６，第７，第８または第９の折り畳み式携帯電話機において、前記カバーに備えられた穴は一個であり、前記レシーバ用音孔および前記マイク用音孔の両方に兼用で対応することを特徴とする。
【００１８】
【発明の実施の形態】
本発明の実施の形態について図面を参照して詳細に説明する。
【００１９】
図１は本発明の折り畳み式携帯電話機の斜視図であり、第一の筐体（上部筐体）と第二の筐体（下部筐体）がヒンジ部４で連結されており、折り畳めるようになっている。そして、カバー３が第一の筐体１と第二の筐体２とに挟まれる形で、ヒンジ部４により連結されている。このカバー３は、第一の筐体１側，第二の筐体２側のいずれの側にも折り畳めるようになっている。
【００２０】
第一の筐体１（上部筐体）には、サイドキー１１と、液晶ディスプレイ等の表示部１２と、レシーバ用音孔１３と、ゲーム専用の４方向キー１４とが搭載され、第二の筐体２（下部筐体）には、サイドキー２１と、キー群２２と、マイク用音孔２３と、カバー３の開閉状態（カバー３が第一，第二のいずれの筐体側に位置しているか）を検出するモードスイッチ２４とが搭載されている。このモードスイッチ２４のオン，オフにより、ゲーム操作モードか通信操作モードかを判別している。なお、第一の筐体１のレシーバ用音孔１３の下部には図示していないレシーバが、また、第二の筐体２のマイク用音孔２３の下部には図示していないマイクが内蔵されている。
【００２１】
図２は、カバー３が第二の筐体２側に位置している場合の斜視図である。この状態においては、図１に示す突起３１がモードスイッチ２４を押し込み、ゲーム操作モードとなっている。
【００２２】
図３は、第二の筐体２側からみたカバー３の正面図である。カバー３にはゲーム操作時に使用するゲームキー３２とゲームキー３３が取り付けてあり、カバー３が第二の筐体２側にある時、キー群２２の特定キーを介して操作ができる。また、カバー３にはモードスイッチ２４に対応する位置に突起３１が取り付けてあり、第二の筐体２側にカバー３があるときに第二の筐体２に埋め込まれたモードスイッチ２４を押すことにより、ゲーム操作モードへの切り替えが電気的に可能になる。また、カバー３には穴３４が開けてあり、カバー３が第一の筐体１側にある時はレシーバ用音孔１３として、第二の筐体２側にある時はマイク用音孔２３として利用し、カバー３により音声が伝わらなくなることを防止する役目を果たす。さらに、開口部３５は、カバー３が第一の筐体１側にある時に表示部１２がカバー３により覆われないように設けられている。
【００２３】
図４はカバー３の断面図であり、図３においてＡ−Ａの位置で切断したときの断面図を示している。本図においては、一例として、カバー表面はプラスチック（例えば、ＡＢＳ樹脂、ＰＣ樹脂等）カバー３７とし、ゲームキー３２，３３や弾性体（ゴムシート３６）はゴム製としている。
【００２４】
図５は、カバー３が第一の筐体１側にあるときと、第二の筐体２側にあるときのそれぞれの側面図である。第二の筐体２側にあるときは、図５に示すように、ゲームキー３２または３３がキー群２２の特定のキーを押下することにより、ゲーム操作が可能になる。
【００２５】
図６は、ヒンジ部４との連結用リングを示すカバー３の側面図を示し、カバー３の下部はリング状になっており、このリング３８によりヒンジ部４に連結されている。
【００２６】
図７は、本発明の一実施の形態の構成を示すブロック図であり、本発明の携帯電話機１００は、キー入力部１１０と、スイッチ押下検出部１２０と、モードスイッチ２４と、制御部１３０と、キー対応機能記憶部１４０と、表示制御部１５０と、表示部１２とを備えている。
【００２７】
キー入力部１１０は、図１に示す携帯電話機１００に備えられたキー群２２，サイドキー１１，サイドキー２１，４方向キー１４，ゲームキー３２，ゲームキー３３のそれぞれのキーを示している。
【００２８】
スイッチ押下検出部１２０は、モードスイッチ２４が押下されたか否かを検出している。モードスイッチ２４が押下されたということは、カバー３が第二の筐体２側にあってカバー３の突起３１により押下されたことを意味している。
【００２９】
制御部１３０は、スイッチ押下検出部１２０の検出状態を監視し、その結果により通信操作状態またはゲーム操作状態を判別して、各キー対応の機能や表示部１２における画像の表示方向を決定する。
【００３０】
キー対応機能記憶部１４０には、キー入力部１１０から入力されるキー群２２，サイドキー１１，サイドキー２１，４方向キー１４，ゲームキー３２，ゲームキー３３のそれぞれのキーに対応する機能が、通信操作状態，ゲーム操作状態別に予め設定されている。例えば、４方向キー１４，ゲームキー３２およびゲームキー３３については、ゲーム操作専用のキーであるため、ゲーム操作状態における機能は予め設定，登録されているが、通信操作状態における機能は無効として設定，登録されている。なお、ゲームキー３２およびゲームキー３３の機能登録については、キー群２２の特定キーに対応させて登録するものとする。なぜならば、図２のゲーム操作状態において、ゲームキー３２または３３を押下すると、カバー３の直下にありゲームキー３２，３３にそれぞれ接しているキー群２２の特定のキーが押されることになるからである（図５参照）。また、キー群２２，サイドキー１１，サイドキー２１については、通常は通信操作状態において使用されるが、これらの内任意のキーをゲーム操作用として兼用で使用してもよい。この場合、通信操作状態，ゲーム操作状態別にそれぞれ別の機能を設定しておくものとする。
【００３１】
表示制御部１５０は、表示部１２に表示させる画像の方向を制御部１３０の指示により制御する。
【００３２】
次に、本発明の一実施の形態の動作について図７〜図１０を参照して説明する。  図８は本発明の一実施の形態の動作を示すフローチャートであり、図９は通信操作状態における使用例を示す図、図１０はゲーム操作状態における使用例を示す図である。
【００３３】
図８を参照すると、まず携帯電話機１００の電源がオンされる（ステップＡ１）と、制御部１３０はスイッチ押下検出部１２０を参照し、カバー３の開閉状況をモードスイッチ２４が押された状態か否かにより判別する（ステップＡ２）。
【００３４】
カバー３が第一の筐体１側にあるとき（カバー開状態）は、カバー３についた突起３１と第二の筐体２に埋め込まれたモードスイッチ２４とは離れており、モードスイッチ２４は押されていない状態となる。この場合、制御部１３０は通信操作状態であると判断し（ステップＡ３）、通信操作状態における画像表示処理を表示制御部１５０に指示する。このときの表示は、図９に示すように、折り畳み式携帯電話機が縦長に広げられた状態で見られるような方向となる（ステップＡ４）。また、制御部１３０は、キー入力部１１０からの入力があったときに、キー対応機能記憶部１４０を参照し、通信操作状態に対応して登録されている該当キーの機能を取得し、その機能を実行する（ステップＡ５，Ａ６）。
【００３５】
一方、ステップＡ２において、カバー３が第二の筐体２側にあるとき（カバー閉状態）は、カバー３についた突起３１により第二の筐体２のモードスイッチ２４が押されている状態となる。この場合、制御部１３０はゲーム操作状態であると判断し（ステップＡ７）、ゲーム操作状態における画像表示処理を表示制御部１５０に指示する。このときの表示は、図１０に示すように、折り畳み式携帯電話機が横長に広げられた状態で見られるような方向（図９に比べ、画像を９０度回転した方向）となる。この場合、画像の回転処理は、図９における縦長表示モード時の水平走査方向をＸとし、垂直走査方向をＹとし、図１０における横長表示モード時の水平走査方向をＸ’とし、垂直走査方向をＹ’としたとき、例えば、表示制御部１５０によって画像データがＸ’＝−Ｙ、Ｙ’＝Ｘにより変換される（ステップＡ８）。また、制御部１３０は、キー入力部１１０からの入力があったときに、キー対応機能記憶部１４０を参照し、ゲーム操作状態に対応して登録されている該当キーの機能を取得し、その機能を実行する（ステップＡ９，Ａ１０）。
【００３６】
電源がオフされるまで、制御部１３０はステップＡ２のモードスイッチ２４の押下状態を監視し、ステップＡ３〜Ａ６、またはステップＡ７〜Ａ１０の動作を実行する（ステップＡ１１）。
【００３７】
なお、以上説明した４方向キー１４の代わりに、レシーバのマグネットを利用し、第一の筐体１内のプリント配線基板上にホール素子を搭載することにより、マグネットの磁力を利用し磁力の水平方向のスライド量を感知して表示部１２上のポインタを操作できる、スライド式入力デバイスをゲーム用として搭載するようにしてもよい。
【００３８】
【発明の効果】
本発明の折り畳み式携帯電話機は、上部筐体と下部筐体の間にカバーを設け、このカバーの開閉状況により通信操作とゲーム操作の選択を自動的に行うようにしたため、操作の選択が効率的に行えるという効果がある。
【００３９】
また、一個の表示部に、携帯電話機を縦長に広げた状態で操作する通信操作時は縦長表示を行い、携帯電話機を横長に広げた状態でキー操作するゲーム操作時は画像の９０度回転処理を行った横長表示を行うようにしたため、ゲーム用に新たな表示部を設ける必要が無いとともに、人間工学に基づいて作成されたゲーム専用機のキー配置に近い状態でゲームが楽しめるという効果がある。
【図面の簡単な説明】
【図１】本発明の折り畳み式携帯電話機の斜視図である。
【図２】カバー３が第二の筐体２側に位置している場合の斜視図である。
【図３】第二の筐体２側からみたカバー３の正面図である。
【図４】カバー３の断面図である。
【図５】カバー３が第一の筐体１側にあるときと、第二の筐体２側にあるときのそれぞれの側面図である。
【図６】ヒンジ部４との連結用リングを示すカバー３の側面図である。
【図７】本発明の一実施の形態の構成を示すブロック図である。
【図８】本発明の一実施の形態の動作を示すフローチャートである。
【図９】通信操作状態における使用例を示す図である。
【図１０】ゲーム操作状態における使用例を示す図である。
【符号の説明】
１    第一の筐体
２    第二の筐体
３    カバー
４    ヒンジ部
１１    サイドキー
１２    表示部
１３    レシーバ用音孔
１４    ４方向キー
２１    サイドキー
２２    キー群
２３    マイク用音孔
２４    モードスイッチ
３１    突起
３２    ゲームキー
３３    ゲームキー
３４    穴
３５    開口部
３６    ゴムシート
３７    プラスチックカバー
３８    リング
１００    携帯電話機
１１０    キー入力部
１２０    スイッチ押下検出部
１３０    制御部
１４０    キー対応機能記憶部
１５０    表示制御部
【図１】
2004215020.tif 000003
【図２】
2004215020.tif 000004
【図３】
2004215020.tif 000005
【図４】
2004215020.tif 000006
【図５】
2004215020.tif 000007
【図６】
2004215020.tif 000008
【図７】
2004215020.tif 000009
【図８】
2004215020.tif 000010
【図９】
2004215020.tif 000011
【図１０】
2004215020.tif 000012